(57)【要約】【課題】コンパクト容器の蓋を開けただけで、袖鏡を開くことなく、鏡を見ることができるようにし、袖鏡を開けば三面鏡等の多面鏡としても使用することのできるコンパクト容器を提供する。【解決手段】コンパクト容器１が、化粧料を収容する容器本体１０、容器本体１０と蝶着している蓋体３０、及び蓋体３０内側に取り付けられた中央鏡２１と袖鏡２２Ａ、２２Ｂを備えている。袖鏡２２Ａ、２２Ｂは、ユニバーサルジョイントで取り付けられ、多面鏡を閉じた状態で、中央鏡２１と袖鏡２２Ａ、２２Ｂはそれぞれの鏡面を同方向に向けて重なる。【選択図】図４Ａ
2008061840.tif 000002
【特許請求の範囲】
【請求項１】
化粧料を収容する容器本体、容器本体と蝶着している蓋体、及び蓋体内側に取り付けられた中央鏡と袖鏡からなる多面鏡を備えたコンパクト容器であって、
袖鏡がユニバーサルジョイントで取り付けられ、
多面鏡を閉じた状態で、中央鏡と袖鏡がそれぞれの鏡面を同方向に向けて重なるコンパクト容器。
【請求項２】
ユニバーサルジョイントが、ボールジョイントである請求項１記載のコンパクト容器。
【発明の詳細な説明】
【技術分野】
【０００１】
本発明は、ファンデーション、チーク、アイシャドウ等の化粧料を収容するコンパクト容器に関する。
【背景技術】
【０００２】
ファンデーション、チーク、アイシャドウ等の化粧料を収容するコンパクト容器として、化粧料を収容する容器本体と、容器本体に開閉自在に蝶着された蓋体からなり、蓋体の内側に平面鏡を貼着したものが普及している。また、このようなコンパクト容器であって、蓋体の内側に三面鏡を取り付けたものが提案されている（特許文献１、特許文献２）。
【０００３】
【特許文献１】特開２０００−１７５７３８号公報
【特許文献２】登録実用新案第３０２０８９９号公報
【発明の開示】
【発明が解決しようとする課題】
【０００４】
しかしながら、従来の三面鏡では、閉じたときに中央鏡と袖鏡が対向するように、袖鏡が中央鏡の両側に蝶番で取り付けられるので、袖鏡を開かないと鏡を見ることができない。そのため、１枚の鏡だけで用が足りる場合にも、わざわざ袖鏡を開かなければならないという不便さがあった。
【０００５】
これに対し、本発明は、コンパクト容器の蓋を開けただけで、袖鏡を開くことなく、鏡を見ることができるようにし、袖鏡を開けば三面鏡等の多面鏡としても使用することのできるコンパクト容器を提供することを目的とする。
【課題を解決するための手段】
【０００６】
本発明者は、コンパクト容器において袖鏡を蓋体の内側に取り付けるにあたり、少なくとも２軸方向に回転するジョイントを用いて、袖鏡を、その鏡面の向きを保持しつつ回転移動できるようにすると共に、袖鏡の中央鏡に対する開き角を変えられるようにし、三面鏡を閉じたときに中央鏡と袖鏡の鏡面が同方向となるようにすると、コンパクト容器を開いたときに、袖鏡を動かすことなく鏡を見ることができ、さらに袖鏡を回転させると三面鏡としての効果も得られることを見出した。
【０００７】
即ち、本発明は、化粧料を収容する容器本体、容器本体と蝶着している蓋体、及び蓋体内側に取り付けられた中央鏡と袖鏡からなる多面鏡を備えたコンパクト容器であって、
袖鏡がユニバーサルジョイントで取り付けられ、
多面鏡を閉じた状態で、中央鏡と袖鏡がそれぞれの鏡面を同方向に向けて重なるコンパクト容器を提供する。
【０００８】
ここで、ユニバーサルジョイントとは、少なくとも２軸方向に回転するジョイントをいい、ボールジョイントを含む。
【発明の効果】
【０００９】
本発明のコンパクト容器によれば、多面鏡を閉じた状態で、中央鏡と袖鏡がそれぞれの鏡面を同方向に向けて重なっているので、従前の袖鏡を開くという動作をすることなく、コンパクト容器の蓋を開けただけで、鏡を見ることができる。また、袖鏡を回転させることにより、三面鏡その他の多面鏡として使用することもできる。
【００１０】
さらに、コンパクト容器を閉じた状態で、多面鏡の鏡面同士が対向していないので、コンパクト容器を誤って落下させた場合などの衝撃に対して、鏡が割れにくくなる。
【発明を実施するための最良の形態】
【００１１】
以下、図面を参照しつつ、本発明を詳細に説明する。なお、各図中、同一符号は同一又は同等の構成要素を表している。
【００１２】
図１Ａは、本発明の一実施例のコンパクト容器１であって、蓋を閉じた状態の斜視図、図１Ｂはその断面図であり、図２は、蓋を開けた状態の斜視図である。
【００１３】
このコンパクト容器１は、ファンデーション、チーク、アイシャドウ等の化粧料Ａを、詰め替え可能に収容する容器本体１０、三面鏡２０、及び容器本体１０の開口面を開閉自在に覆う蓋体３０からなる。容器本体１０には、化粧料Ａの他、必要に応じてスポンジ２、はけ、ブラシ（図示せず）等の化粧用具が収容されるスペースが設けられる。
【００１４】
蓋体３０は、その下端部で容器本体１０と蝶番を介してつながっており、その内側には、中央鏡２１が接着剤、粘着剤等により固着されている。
【００１５】
三面鏡２０は中央鏡２１と第１袖鏡２２Ａ及び第２袖鏡２２Ｂからなり、三面鏡を閉じた状態、即ち、中央鏡２１、第１袖鏡２２Ａ及び第２袖鏡２２Ｂが重なり合った状態で、これらの鏡面が同じ向きとなっている。そのため、図２に示すように、コンパクト容器１の蓋体３０を開けると、そのまま第２袖鏡２２Ｂを見ることができる。
【００１６】
第１袖鏡２２Ａ、第２袖鏡２２Ｂは、それぞれ袖鏡用枠体２３Ａ、２３Ｂに接着剤、粘着剤等により貼着されている。第１袖鏡用枠体２３Ａは、蓋体３０の内側面の中央鏡２１の右側方に、ボールジョイント２４で取り付けられており、同様に、第２袖鏡用枠体２３Ｂは中央鏡２１の左側方にボールジョイント２４で取り付けられている。
【００１７】
したがって、図２に矢印ａで示すように、第２袖鏡２２Ｂを、その鏡面の向きが保持されるように、中央鏡２１の鏡面に垂直な回転軸で回転させると、図３に示すように中央鏡２１と第２袖鏡２２Ｂを並置させることができ、さらに、図３の矢印ｂで示すように、中央鏡２１の上下方向を回転軸として第２袖鏡２２Ｂを回転させることにより第２袖鏡２２Ｂの中央鏡２１に対する開き角を適度に調整すると、二面鏡として使用することが可能となる。なお、図３では、化粧料やスポンジ等の記載は省略している。
【００１８】
次に、第１袖鏡２２Ａについても同様に、鏡面の向きを保持しつつ回転させて中央鏡２１と第１袖鏡２２Ａを並置させ、第１袖鏡２２Ａの中央鏡２１に対する開き角を適度に調整すると、図４Ａ、図４Ｂに示すように三面鏡として使用することが可能となる。なお、第１袖鏡２２Ａと第２袖鏡２２Ｂは、それぞれボールジョイント２４で蓋体３０に接合されているので、図中、矢印で示したａ方向（回転軸が中央鏡２１の鏡面に垂直）、ｂ方向（回転軸が中央鏡２１の上下方向）の２方向の他、これらは任意の向きに回転させることができるので、実際のコンパクト容器の使用では、ａ方向、ｂ方向の２段階で袖鏡２２Ａ、２２Ｂを回転させることなく、袖鏡２２Ａ、２２Ｂを二面鏡あるいは三面鏡として好適な向きに１段階で回転させることができる。
【００１９】
図５は、上述のボールジョイント２４に代えて、２つの回転軸を有するユニバーサルジョイント２５を用いて袖鏡２２と蓋体３０とを接合した場合のジョイント部分を示している。この場合、ユニバーサルジョイント２５は、袖鏡２２が鏡面の向きを保持しつつ、中央鏡２１の鏡面に垂直な回転軸で回転するａ方向と、中央鏡２１の上下方向に垂直な回転軸で回転するｂ方向で回転するように取り付ける。これにより、上述のコンパクト容器１Ａと同様に、中央鏡２１と袖鏡２２は、それらが重なった状態と、二面鏡あるいは三面鏡として好適な向きの状態とをとることができる。
【００２０】
なお、本発明のコンパクト容器では、必要に応じて、中央鏡の両側に袖鏡を設けることなく、片側に袖鏡を設け、二面鏡として構成してもよい。
【産業上の利用可能性】
【００２１】
本発明のコンパクト容器は、ファンデーション、チーク、アイシャドウ等の化粧料を収
容する容器として有用である。
【図面の簡単な説明】
【００２２】
【図１Ａ】コンパクト容器１の蓋を閉じた状態の斜視図である。
【図１Ｂ】コンパクト容器１の蓋を閉じた状態の断面図である。
【図２】コンパクト容器１の蓋を開けた状態の斜視図である。
【図３】コンパクト容器１の第２袖鏡を回転させた状態の斜視図である。
【図４Ａ】コンパクト容器１の第１袖鏡を回転させた状態の斜視図である。
【図４Ｂ】コンパクト容器１の第１袖鏡を回転させた状態の断面図である。
【図５】２つの回転軸を有するユニバーサルジョイントによる袖鏡と蓋体の接合部分の斜視図である。
【符号の説明】
【００２３】
１    コンパクト容器
２      スポンジ
１０      容器本体
２０      三面鏡
２１      中央鏡
２２      袖鏡
２２Ａ    第１袖鏡
２２Ｂ    第２袖鏡
２３      袖鏡用枠体
２３Ａ    第１袖鏡用枠体
２３Ｂ    第２袖鏡用枠体
２４      ボールジョイント
２５      ２つの回転軸を有するユニバーサルジョイント
Ａ      化粧料
【図１Ａ】
2008061840.tif 000003
【図１Ｂ】
2008061840.tif 000004
【図２】
2008061840.tif 000005
【図３】
2008061840.tif 000006
【図４Ａ】
2008061840.tif 000007
【図４Ｂ】
2008061840.tif 000008
【図５】
2008061840.tif 000009